(57)【要約】【課題】簡単な構成で洗濯機本体側の音声と通信アダプタ側の音声を適宜切り換えて１つの音声出力部から出力できる洗濯機を提供する。【解決手段】洗濯機は、第１音声信号を出力する第１音声信号出力部(１２)と、第１音声信号出力部(１２)を制御する第１制御部(１１)と、外部からの音声データを受信する通信部(２３)と、音声データに基づく第２音声信号を出力する第２音声信号出力部(２２)と、通信部(２３)と第２音声信号出力部(２２)を制御する第２制御部(２１)と、第１制御部(１１)によって制御され、第１音声信号または第２音声信号を択一的に切り換えて出力する音声信号切換部(３０)と、音声信号切換部(３０)から出力された第１音声信号または第２音声信号に基づいて音声を出力する音声出力部(４０)を備え、第１制御部は、第１音声信号または第２音声信号のいずれか一方を、他方よりも優先して出力するように、音声信号切換部を制御する。【選択図】図１
2019115826.tif 000002
【特許請求の範囲】
【請求項１】
第１音声信号を出力する第１音声信号出力部と、
上記第１音声信号出力部を制御する第１制御部と、
外部からの音声データを受信する通信部と、上記音声データに基づく第２音声信号を出力する第２音声信号出力部と、上記通信部と上記第２音声信号出力部を制御する第２制御部と、
上記第１制御部によって制御され、上記第１音声信号出力部からの上記第１音声信号または上記第２音声信号出力部からの上記第２音声信号を択一的に切り換えて出力する音声信号切換部と、
上記音声信号切換部から出力された上記第１音声信号または上記第２音声信号に基づいて音声を出力する音声出力部と
を備え、
上記第１制御部は、上記第１音声信号または上記第２音声信号のいずれか一方を、他方よりも優先して出力するように、上記音声信号切換部を制御することを特徴とする洗濯機。
【請求項２】
請求項１に記載の洗濯機において、
上記他方の音声信号は、上記一方の音声信号の出力が終了してから、上記他方の音声信号を出力するように、上記音声信号切換部を制御することを特徴とする洗濯機。
【請求項３】
請求項２に記載の洗濯機において、
上記一方の音声信号は上記第１音声信号であり、上記他方の音声信号は上記第２音声信号であって、
上記第１音声信号を上記音声出力部から出力している間に、上記通信部を制御して音声データをダウンロードし、上記第１音声信号の出力が終了してから、ダウンロードされた上記音声データに基づく上記第２音声信号を出力することを特徴とする洗濯機。
【請求項４】
請求項１から３までのいずれか１つに記載の洗濯機において、
キー入力部を備え、
上記第１制御部は、
上記キー入力部のキー入力に応じたキー操作音信号を上記第１音声信号および上記第２音声信号よりも優先的に上記音声出力部から出力するように、上記第１音声信号出力部および上記音声信号切換部を制御することを特徴とする洗濯機。
【請求項５】
請求項４に記載の洗濯機において、
上記第１音声信号および上記第２音声信号の少なくとも一方が上記音声出力部から出力されているときは、上記第１音声信号および上記第２音声信号の出力を止めて、上記キー操作音信号を上記音声出力部から出力することを特徴とする洗濯機。
【発明の詳細な説明】
【技術分野】
【０００１】
この発明は、洗濯機に関する。
【背景技術】
【０００２】
従来、インターネット上の管理サーバとの通信をホームサーバを介して行うための通信アダプタを備えた家電機器がある(例えば、特開２００５−３１１８６４号公報(特許文献１)参照)。
【０００３】
上記家電機器では、オプションとして通信アダプタとスピーカを家電機器本体に取り付けることによって、管理サーバが提供する情報メッセージの音声を出力する機能を追加できるようにしている。
【先行技術文献】
【特許文献】
【０００４】
【特許文献１】特開２００５−３１１８６４号公報
【発明の概要】
【発明が解決しようとする課題】
【０００５】
ところで、このような通信アダプタをオプションとして、音声出力機能をすでに搭載している洗濯機に取り付けた場合、洗濯機本体用スピーカと通信アダプタ用のスピーカの両方から音声出力が可能になるが、それぞれのスピーカからの音声が重ならないように適切に切り換える制御が困難である。
【０００６】
そこで、この発明の課題は、簡単な構成で洗濯機本体側の音声とオプションの通信アダプタ側の音声を適宜切り換えて１つの音声出力部から出力できる洗濯機を提供することにある。
【課題を解決するための手段】
【０００７】
上記課題を解決するため、この発明の洗濯機は、
第１音声信号を出力する第１音声信号出力部と、
上記第１音声信号出力部を制御する第１制御部と、
外部からの音声データを受信する通信部と、上記音声データに基づく第２音声信号を出力する第２音声信号出力部と、上記通信部と上記第２音声信号出力部を制御する第２制御部と、
上記第１制御部によって制御され、上記第１音声信号出力部からの上記第１音声信号または上記第２音声信号出力部からの上記第２音声信号を択一的に切り換えて出力する音声信号切換部と、
上記音声信号切換部から出力された上記第１音声信号または上記第２音声信号に基づいて音声を出力する音声出力部と
を備え、
上記第１制御部は、上記第１音声信号または上記第２音声信号のいずれか一方を、他方よりも優先して出力するように、上記音声信号切換部を制御することを特徴とする。
【０００８】
また、一実施形態の洗濯機では、
上記他方の音声信号は、上記一方の音声信号の出力が終了してから、上記他方の音声信号を出力するように、上記音声信号切換部を制御することを特徴とする。
【０００９】
また、一実施形態の洗濯機では、
上記一方の音声信号は上記第１音声信号であり、上記他方の音声信号は上記第２音声信号であって、
上記第１音声信号を上記音声出力部から出力している間に、上記通信部を制御して音声データをダウンロードし、上記第１音声信号の出力が終了してから、ダウンロードされた上記音声データに基づく上記第２音声信号を出力することを特徴とする。
【００１０】
また、一実施形態の洗濯機では、
キー入力部を備え、
上記第１制御部は、
上記キー入力部のキー入力に応じたキー操作音信号を上記第１音声信号および上記第２音声信号よりも優先的に上記音声出力部から出力するように、上記第１音声信号出力部および上記音声信号切換部を制御することを特徴とする。
【００１１】
また、一実施形態の洗濯機では、
上記第１音声信号および上記第２音声信号の少なくとも一方が上記音声出力部から出力されているときは、上記第１音声信号および上記第２音声信号の出力を止めて、上記キー操作音信号を上記音声出力部から出力することを特徴とする。
【発明の効果】
【００１２】
以上より明らかなように、この発明によれば、簡単な構成で洗濯機本体側の音声と通信アダプタ側の音声を適宜切り換えて１つの音声出力部から出力できる洗濯機を実現することができる。
【図面の簡単な説明】
【００１３】
【図１】図１はこの発明の第１実施形態の洗濯機の一例としてのドラム式洗濯乾燥機を備える洗濯システムの概略構成図である。
【図２】図２は上記ドラム式洗濯乾燥機を前側の斜め上方から見た概略斜視図である。
【図３】図３は上記ドラム式洗濯乾燥機を上方から見た模式図である。
【図４】図４はこの発明の第４実施形態の洗濯機の一例としてのドラム式洗濯乾燥機内の通信アダプタのメモリ領域管理について説明するための模式図である。
【発明を実施するための形態】
【００１４】
以下、この発明の洗濯機を図示の実施の形態により詳細に説明する。
【００１５】
〔第１実施形態〕
図１はこの発明の第１実施形態の洗濯機の一例としてのドラム式洗濯乾燥機１００を備える洗濯システムの概略構成図を示している。
【００１６】
上記洗濯システムは、図１に示すように、一般的に屋内に設置されたドラム式洗濯乾燥機１００の他に、無線アクセスポイント２００と、ドラム式洗濯乾燥機１００と通信する屋外の管理サーバ３００と、この管理サーバ３００と通信する携帯通信端末の一例としてのスマートフォン４００(smartphone：多機能携帯電話)とを備える。
【００１７】
上記ドラム式洗濯乾燥機１００は、制御装置１０と、オプションの通信アダプタ２０と、音声信号切換部３０と、音声出力部の一例としてのスピーカ４０と、キー入力部の一例としての操作表示部５０と、洗濯物を処理する洗濯乾燥部６０とを備える。ここで、上記洗濯乾燥部６０は、水槽２(図２に示す)と、図示しないが、周知の洗濯兼脱水槽、モータ、給水弁、排水弁、ヒートポンプユニット等を有する。この洗濯乾燥部６０による洗濯物を処理するための運転としては、洗濯運転、脱水運転、乾燥運転などのように、洗濯物の汚れや臭いを除去したり、洗濯物を乾かしたりするための運転などがある。
【００１８】
上記制御装置１０は、第１制御部１１と、第１制御部１１により制御される第１音声信号出力部１２と、プログラムや音声データなどを記憶するメモリ１３とを有する。このメモリ１３は、記憶した情報を書き換え可能な不揮発性メモリであり、ドラム式洗濯乾燥機１００の電源を切っても、記憶した情報が消えない。
【００１９】
上記制御装置１０は、通信アダプタ２０と、音声信号切換部３０と、操作表示部５０と、洗濯乾燥部６０などを制御する。この制御装置１０は、マイクロコンピュータと入出力回路などからなり、通信アダプタ２０との間で情報を送受信する。
【００２０】
なお、制御装置１０は、主たる制御を行うメインＣＰＵと、音声信号切換部３０や音声出力を制御するサブＣＰＵからなるものでもよく、この場合、メインＣＰＵとサブＣＰＵは、相互通信により協調動作する。
【００２１】
また、上記通信アダプタ２０は、第２制御部２１と、第２制御部２１により制御される第２音声信号出力部２２と、無線アクセスポイント２００と通信を行う通信部２３と、プログラムや音声データなどを記憶するメモリ２４とを有する。このメモリ２４は、記憶した情報を書き換え可能な不揮発性メモリであり、ドラム式洗濯乾燥機１００の電源を切っても、記憶した情報が消えない。
【００２２】
上記制御装置１０の第１制御部１１と通信アダプタ２０の第２制御部２１とは、互いに通信を行う。
【００２３】
上記通信アダプタ２０は、無線アクセスポイント２００に無線で通信接続され、無線アクセスポイント２００とインターネット網Ｎを介して管理サーバ３００と通信を行う。より詳しくは、通信アダプタ２０は、例えばＷｉ-Ｆｉ(ワイファイ：ブランド名)の通信規
格を用い、無線アクセスポイント２００を介して、管理サーバ３００に情報を送信したり、管理サーバ３００から情報を受信したりする。また、管理サーバ３００と無線アクセスポイント２００との間の通信は、電気通信網や光通信網を用いたインターネット網Ｎを介して行われる。
【００２４】
また、音声信号切換部３０は、第１制御部１１によって制御され、第１音声信号出力部１２からの第１音声信号または第２音声信号出力部２２からの第２音声信号を択一的に切り換えてスピーカ４０に出力する。
【００２５】
上記スピーカ４０は、例えば、洗濯物を処理するための運転が開始するとき、予め定められたメロディ音やメッセージを出力する。また、スピーカ４０は、通信アダプタ２０と管理サーバ３００との間の通信に関するエラー情報を音声で報知する。
【００２６】
上記操作表示部５０は、洗濯物を処理するための運転の予約時刻を表示したり、洗濯物を処理するための運転中に運転残り時間を表示したりする時間表示部(図示せず)を有している。
【００２７】
上記管理サーバ３００は、ドラム式洗濯乾燥機１００からの情報を受信して保存したり、スマートフォン４００からの情報を受信して保存したりする。
【００２８】
上記スマートフォン４００は、管理サーバ３００に情報を送信したり、管理サーバ３００から情報を受信したりする。より詳しくは、スマートフォン４００は、携帯通信網およびインターネット網Ｎを介して管理サーバ３００との通信を行う。
【００２９】
例えば、洗濯物を処理するための運転が行われているか否かを示す運転情報が、ドラム式洗濯乾燥機１００からの情報として管理サーバ３００に保存されている場合、スマートフォン４００は、管理サーバ３００に通信接続することにより、管理サーバ３００から運転情報を取得して、この運転情報をユーザーに伝えることができるようになっている。
【００３０】
一方、例えば、洗濯物の処理に関する設定情報が、スマートフォン４００からの情報として管理サーバ３００に保存されている場合、ドラム式洗濯乾燥機１００は、管理サーバ３００に通信接続して、管理サーバ３００から上記設定情報を取得して、この設定情報に従った処理を洗濯物に行うことができるようになっている。また、図示しないが、管理サーバ３００と無線アクセスポイント２００との間には、ブロードバンドルータが設置されている。
【００３１】
図２は上記ドラム式洗濯乾燥機を前側の斜め上方から見た概略斜視図を示している。図２において、７０は電磁弁である。
【００３２】
上記ドラム式洗濯乾燥機は、外郭を成す外箱１を備える。この外箱１は、上面パネル１０１と、操作表示部５０と、前面パネル１０３と、後面パネル１０４と、右側面パネル１０５Ａと、左側面パネル１０５Ｂ(図３に示す)と、底台１０６とで構成されている。
【００３３】
また、上記外箱１は、前側に開口部１ａを有している。より詳しくは、開口部１ａは、前面パネル１０３に設けられ、洗濯物(図示せず)が通過する。この前面パネル１０３には扉３が回動可能に取り付けられており、開口部１ａは扉３で開閉される。
【００３４】
上記操作表示部５０は、開口部１ａ上に位置するように前面パネル１０３に取り付けられている。
【００３５】
また、上記操作表示部５０の側方には、洗濯剤を収容可能な洗濯剤ケース１５０が設けられている。ここで、上記洗濯剤とは、洗濯物を洗ったり、すすいだりするときに、水槽２に供給する水に溶け込ます粉末剤または液剤である。上記洗濯剤の具体例としては、洗剤、漂白剤、柔軟剤などがある。
【００３６】
上記オプションの通信アダプタ２０は、外箱１の上部を形成する上面パネル１０１と、水槽２との間に配置されている。より詳しくは、通信アダプタ２０は、上面パネル１０１と水槽２との間の後側に位置するように、支持部材９０によって支持されている。
【００３７】
また、図３は上記ドラム式洗濯乾燥機を上方から見た模式図を示している。図３において、図２と同一の構成部には同一参照番号を付している。なお、図３では、上面パネル１０１、水槽２などの図示を省略している。
【００３８】
図３に示すように、通信アダプタ２０は、上面視において左側かつ後面側に位置する。
【００３９】
上記構成のドラム式洗濯乾燥機によれば、通常、第１音声信号出力部１２からの第１音声信号をスピーカ４０に出力するように、第１制御部１１により音声信号切換部３０を切り換えている。
【００４０】
そして、管理サーバ３００から発話要求が通信アダプタ２０の通信部２３に送信され、音声データのダウンロードが開始され、音声データがメモリ２４に記憶される。この音声データの通信アダプタ２０へのダウンロードが終了すると、通信アダプタ２０の第２制御
部２１から本体側の第１制御部１１に発話要求が出力される。
【００４１】
本体側の第１制御部１１が通信アダプタ２０の第２制御部２１から発話要求を受けると、通信アダプタ２０へのダウンロードされた音声データの発話を許可してよいか否かを第１制御部１１により判断する。そして、第１制御部１１が上記音声データの発話を許可してよいと判断すると、第１制御部１１から切り換え信号を音声信号切換部３０に出力して、第２音声信号出力部２２からメモリ２４に記憶された音声データに基づく第２音声信号をスピーカ４０に出力するように、音声信号切換部３０を切り換える。
【００４２】
次に、本体側の第１制御部１１から通信アダプタ２０の第２制御部２１に対して発話許可を出力することにより、通信アダプタ２０の第２音声信号出力部２２から上記第２音声信号が音声信号切換部３０を介してスピーカ４０に出力される。ここで、例えば本体側の第１音声信号出力部１２から第１音声信号が出力中に、通信アダプタ２０の第２制御部２１から発話要求があると、第１制御部１１は、第１音声信号が終了してから、通信アダプタ２０の第２制御部２１に対して発話許可を出力する。
【００４３】
そして、通信アダプタ２０にダウンロードされた音声データの発話が終了すると、第２制御部２１から発話要求が解除されて、第１音声信号出力部１２からの第１音声信号をスピーカ４０に出力するように、第１制御部１１により音声信号切換部３０を切り換えて、通常の状態に戻る。
【００４４】
図１に示すように、本体側の第１制御部１１によって制御された第１音声信号出力部１２からの第１音声信号が出力される(例えば「あいさつ」、「前回運転を行ったときの衣類の汚れや洗剤状況」、「乾燥フィルタや排水フィルタのメンテナンス状況」など)。また、通信アダプタ２０側の第２制御部２１によって制御された通信部２３により外部から音声データを受信し、その音声データに基づく第２音声信号が、通信アダプタ２０の第２制御部２１によって制御された第２音声信号出力部２２から出力される(例えば「天気情報(気温、湿度、花粉、ＰＭ2.5)」など)。そして、第１制御部１１によって制御された音声信号切換部３０により、第１音声信号出力部１２からの第１音声信号または第２音声信号出力部２２からの第２音声信号を択一的に切り換えて、スピーカ４０(音声出力部)に出力する。このようにして、簡単な構成で本体側の音声とオプションの通信アダプタ２０側の音声を適宜切り換えて１つのスピーカ４０から出力することが可能になる。
【００４５】
また、上記第１制御部１１によって第１音声信号出力部１２を制御して、操作表示部５０(キー入力部)のキー入力に応じたキー操作音信号を第１音声信号よりも優先的に第１音声信号出力部１２から出力する。そして、第１制御部１１によって音声信号切換部３０を制御して、第１音声信号出力部１２からのキー操作音信号を、通信アダプタ２０の第２音声信号出力部２２からの第２音声信号よりも優先的に音声信号切換部３０から出力する。ここで、第１音声信号または第２音声信号による音声がスピーカ４０から出力されているときに、キー操作しても、音声出力を止めてキー操作音がスピーカ４０から出力される。したがって、キー操作音が最も優先されてスピーカ４０から出力されるので、ユーザーがキー操作したときにキー操作音が遅れたり出なかったりしてユーザーに違和感を与えるということがない。
【００４６】
なお、第１音声信号または第２音声信号による音声の出力途中でキー操作音を優先的に出力するとき、音声は途中で止めて、キー操作音の後に続いて出力することはしない。
【００４７】
また、上記本体側の第１制御部１１によって音声信号切換部３０を制御して、第１音声信号出力部１２からの第１音声信号を、通信アダプタ２０の第２音声信号出力部２２からの第２音声信号よりも優先的に音声信号切換部３０から出力するので、例えば本体側に備
わっている普遍的なメッセージなどを優先的に音声出力できる。
【００４８】
〔第２実施形態〕
この第２実施形態の洗濯機の一例としてのドラム式洗濯乾燥機は、制御装置１０の動作を除いて第１実施形態のドラム式洗濯乾燥機と同一の構成をしており、図１を援用する。
【００４９】
この第２実施形態のドラム式洗濯乾燥機では、本体側の第１制御部１１によって音声信号切換部３０を制御して、通信アダプタ２０の第２音声信号出力部２２からの第２音声信号を、第１音声信号出力部１２からの第１音声信号よりも優先的に音声信号切換部３０から出力する。ここで、例えば通信アダプタ２０の第２制御部２１から第２音声信号が出力中に、本体側の第１制御部１１に発話内容が生じると、通信アダプタ２０の第２音声信号が終了してから、第１音声信号出力部１２からの第１音声信号を出力する。
【００５０】
このようにして、例えば、通信アダプタ２０側の通信部２３により外部の管理サーバ３００からダウンロードされた天気情報(気温、湿度、花粉、ＰＭ２.５)などに関わるタイムリーなメッセージを優先的に音声出力することができる。これにより、ユーザーにとって有益でタイムリーな情報を優先的に出力することで利便性が向上する。
【００５１】
〔第３実施形態〕
この第３実施形態の洗濯機の一例としてのドラム式洗濯乾燥機は、制御装置１０の動作を除いて第１実施形態のドラム式洗濯乾燥機と同一の構成をしており、図１を援用する。
【００５２】
この第３実施形態のドラム式洗濯乾燥機では、電源が投入されると、本体側の第１制御部１１によって第１音声信号出力部１２と音声信号切換部３０を制御して、第１音声信号出力部１２から第１音声信号を出力し、その第１音声信号を音声信号切換部３０からスピーカ４０に出力する。この電源投入により通信アダプタ２０が起動する。
【００５３】
そして、起動した通信アダプタ２０の第２制御部２１によって、通信部２３と第２音声信号出力部２２を制御して、電源が投入されて本体側の第１音声信号による音声をスピーカ４０から出力している間に、新たな音声データをダウンロードし、第１音声信号による音声の出力終了に続いて、通信アダプタ２０にダウンロードされた音声データを表す第２音声信号を第２音声信号出力部２２から出力する。このとき、本体側の第１制御部１１によって音声信号切換部３０を制御して、上記第１音声信号による音声の出力終了後、第２音声信号出力部２２からの第２音声信号を、音声信号切換部３０からスピーカ４０に出力する。
【００５４】
これにより、電源投入時に本体側の「あいさつ」や「前回の運転状況」などのメッセージを出力した後、そのまま続けて、通信アダプタ２０にダウンロードされた天気情報(気
温、湿度、花粉、ＰＭ2.5)などのタイムリーなメッセージを、違和感なくユーザーに聞いてもらうことができる。
【００５５】
仮に、電源投入時に第１音声信号による音声をスピーカ４０から出力しない場合は、通信アダプタ２０に音声データをダウンロードするまでに時間を要し、ユーザーがタイムリーなメッセージを聞かずにスタートボタンを押して洗濯をスタートさせてしまう恐れがある。これに対して、この第３実施形態のドラム式洗濯乾燥機では、本体側のメッセージに続けてタイムリーなメッセージをユーザーに確実に伝えることができる。このようなタイムリーなメッセージによって、どの運転コースにすべきか、または、洗濯乾燥、洗濯、乾燥のどの運転モードを選択すべきかをユーザーが的確に判断することができる。
【００５６】
〔第４実施形態〕
図４はこの発明の第４実施形態の洗濯機の一例としてのドラム式洗濯乾燥機１００内の通信アダプタ２０のメモリ領域管理について説明するための模式図を示している。この第２実施形態のドラム式洗濯乾燥機１００は、通信アダプタ２０の動作を除いて第１実施形態のドラム式洗濯乾燥機と同一の構成をしており、図１を援用する。
【００５７】
図４(a)に示すように、管理サーバ３００から通信アダプタ２０に長期間有効な情報お
よび短期間有効な情報として音声データがダウンロードされる。この長期間有効な情報は、例えば洗濯に関するアドバイスなどであり、メモリ２４の第１メモリ領域２４Ａに記憶される。また、短期間有効な情報は、例えば今日の天気などであり、メモリ２４の第２メモリ領域２４Ｂに記憶される。ここで、管理サーバ３００において、通信アダプタ２０にダウンロードする音声データが長期間有効な情報であるか短期間有効な情報であるかを予め分類している。
【００５８】
第１メモリ領域２４Ａには、長期間有効な情報をＭ個記憶可能であり、第２メモリ領域２４Ｂには、短期間有効な情報Ｎ個記憶可能である(ここで、Ｍ,Ｎは２以上の整数)。
【００５９】
図４(a)では、「長期間有効な情報１」から「長期間有効な情報Ｍ」までの記憶した時
刻の古いものから順に第１メモリ領域２４Ａに記憶されていると共に、「短期間有効な情報１」から「短期間有効な情報Ｎ」までの記憶した時刻の古いものから順に第２メモリ領域２４Ｂに記憶されている。
【００６０】
この図４(a)に示す状態で管理サーバ３００から新たに「長期間有効な情報Ｍ＋１」が
ダウンロードされると、第１メモリ領域２４Ａでは、最も古い「長期間有効な情報１」が削除され、「長期間有効な情報Ｍ＋１」が追加される。こうして、第１メモリ領域２４Ａは、図４(b)に示すように、「長期間有効な情報２」から「長期間有効な情報Ｍ＋１」ま
で記憶された状態となる。
【００６１】
また、この図４(a)に示す状態で管理サーバ３００から新たに「短期間有効な情報Ｎ＋
１」がダウンロードされると、第２メモリ領域２４Ｂでは、最も古い「短期間有効な情報１」が削除され、「短期間有効な情報Ｎ＋１」が追加される。こうして、第２メモリ領域２４Ｂは、図４(b)に示すように、「短期間有効な情報２」から「短期間有効な情報Ｎ＋
１」まで記憶された状態となる。
【００６２】
ここで、Ｍ＞Ｎとすることで長期間有効な情報より長い時間保持でき、また、長期間有効な情報が短期間有効な情報よりもダウンロードの頻度が低いので、より長期間保持できる。
【００６３】
上記第２実施形態のドラム式洗濯乾燥機によれば、長期間変更が不要な情報(長期間有
効な情報)と、短期間で更新が必要な情報(短期間有効な情報)の両方について、必要に応
じて最新情報をダウンロードしてユーザーに伝えることができると共に、通信アダプタ２０のメモリ領域を有効に活用できる。
【００６４】
上記第１〜第４実施形態では、洗濯機として乾燥機能を有するドラム式洗濯乾燥機１００について説明したが、洗濯機はこれに限らず、縦型洗濯乾燥機や乾燥機能を有しないドラム式洗濯機,縦型洗濯機などにこの発明を適用してもよい。
【００６５】
この発明の具体的な実施の形態について説明したが、この発明は上記第１〜第４実施形態に限定されるものではなく、この発明の範囲内で種々変更して実施することができる。例えば、上記第１〜第４実施形態で記載した内容を適宜組み合わせたものを、この発明の一実施形態としてもよい。
【００６６】
この発明および実施形態をまとめると、次のようになる。
【００６７】
この発明の洗濯機は、
第１音声信号を出力する第１音声信号出力部１２と、
上記第１音声信号出力部１２を制御する第１制御部１１と、
外部からの音声データを受信する通信部２３と、上記音声データに基づく第２音声信号を出力する第２音声信号出力部２２と、上記通信部２３と上記第２音声信号出力部２２を制御する第２制御部２１とを有するオプションの通信アダプタ２０と、
上記第１制御部１１によって制御され、上記第１音声信号出力部１２からの上記第１音声信号または上記第２音声信号出力部２２からの上記第２音声信号を択一的に切り換えて出力する音声信号切換部３０と、
上記音声信号切換部３０から出力された上記第１音声信号または上記第２音声信号に基づいて音声を出力する音声出力部４０とを備えたことを特徴とする。
【００６８】
上記構成によれば、洗濯機本体側の第１制御部１１によって制御された第１音声信号出力部１２からの第１音声信号が出力される。また、通信アダプタ２０側の第２制御部２１によって制御された通信部２３により外部から音声データを受信し、その音声データに基づく第２音声信号が、通信アダプタ２０の第２制御部２１によって制御された第２音声信号出力部２２から出力される。そして、第１制御部１１によって制御された音声信号切換部３０により、第１音声信号出力部１２からの第１音声信号または第２音声信号出力部２２からの第２音声信号を択一的に切り換えて、スピーカなどの音声出力部４０に出力する。このように、第１音声信号出力部１２からの第１音声信号と第２音声信号出力部２２からの第２音声信号のうちから択一的に選ばれた音声しか出力できない構成とすることによって、簡単な構成で洗濯機本体側の音声とオプションの通信アダプタ２０側の音声を適宜切り換えて１つの音声出力部４０から出力することが可能になる。
【００６９】
また、一実施形態の洗濯機では、
キー入力部５０を備え、
上記第１制御部１１は、
上記キー入力部５０のキー入力に応じたキー操作音信号を上記第１音声信号よりも優先的に上記第１音声信号出力部１２から出力するように、上記第１音声信号出力部１２を制御すると共に、
上記第１音声信号出力部１２からの上記キー操作音信号を、上記通信アダプタ２０の上記第２音声信号出力部２２からの上記第２音声信号よりも優先的に上記音声信号切換部３０から出力するように、上記音声信号切換部３０を制御する。
【００７０】
上記実施形態によれば、第１制御部１１によって第１音声信号出力部１２を制御して、キー入力部５０のキー入力に応じたキー操作音信号を第１音声信号よりも優先的に第１音声信号出力部１２から出力する。そして、第１制御部１１によって音声信号切換部３０を制御して、第１音声信号出力部１２からのキー操作音信号を、通信アダプタ２０の第２音声信号出力部２２からの第２音声信号よりも優先的に音声信号切換部３０から出力する。ここで、第１音声信号または第２音声信号による音声が音声出力部４０から出力されているときに、キー操作しても、音声出力を止めてキー操作音が音声出力部４０から出力される。したがって、キー操作音が最も優先されて音声出力部４０から出力されるので、ユーザーがキー操作したときにキー操作音が遅れたり出なかったりしてユーザーに違和感を与えるということがない。
【００７１】
また、一実施形態の洗濯機では、
上記第１制御部１１は、
上記第１音声信号出力部１２からの上記第１音声信号を、上記通信アダプタ２０の上記第２音声信号出力部２２からの上記第２音声信号よりも優先的に上記音声信号切換部３０から出力するように、上記音声信号切換部３０を制御する。
【００７２】
上記実施形態によれば、洗濯機本体側の第１制御部１１によって音声信号切換部３０を制御して、第１音声信号出力部１２からの第１音声信号を、通信アダプタ２０の第２音声信号出力部２２からの第２音声信号よりも優先的に音声信号切換部３０から出力するので、例えば洗濯機本体側に備わっている普遍的なメッセージなどを優先的に音声出力できる。
【００７３】
また、一実施形態の洗濯機では、
上記第１制御部１１は、
上記通信アダプタ２０の上記第２音声信号出力部２２からの上記第２音声信号を、上記第１音声信号出力部１２からの上記第１音声信号よりも優先的に上記音声信号切換部３０から出力するように、上記音声信号切換部３０を制御する。
【００７４】
上記実施形態によれば、洗濯機本体側の第１制御部１１によって音声信号切換部３０を制御して、通信アダプタ２０の第２音声信号出力部２２からの第２音声信号を、第１音声信号出力部１２からの第１音声信号よりも優先的に音声信号切換部３０から出力するので、例えば通信アダプタ２０側の通信部２３により外部の管理サーバなどからダウンロードされた天気情報(気温、湿度、花粉、ＰＭ２.５)などに関わるタイムリーなメッセージを優先的に音声出力できる。
【００７５】
また、一実施形態の洗濯機では、
上記第１制御部１１は、電源が投入されると、上記第１音声信号出力部１２から上記第１音声信号を出力するように、上記第１音声信号出力部１２を制御すると共に、その第１音声信号を上記音声信号切換部３０から上記音声出力部４０に出力するように、上記音声信号切換部３０を制御し、
上記通信アダプタ２０の上記第２制御部２１は、上記電源が投入されて上記第１音声信号による音声を上記音声出力部４０から出力している間に、上記通信アダプタ２０の上記通信部２３を制御して新たな音声データをダウンロードし、上記第１音声信号による音声の出力終了に続いて、上記通信アダプタ２０に上記ダウンロードされた上記音声データを表す上記第２音声信号を上記第２音声信号出力部２２から出力するように、上記第２音声信号出力部２２を制御し、
上記第１制御部１１は、上記第１音声信号による音声の出力終了後、上記通信アダプタ２０の上記第２音声信号出力部２２からの上記第２音声信号を、上記音声信号切換部３０から上記音声出力部４０に出力するように、上記音声信号切換部３０を制御する。
【００７６】
上記実施形態によれば、電源が投入されると、洗濯機本体側の第１制御部１１によって第１音声信号出力部１２と音声信号切換部３０を制御して、第１音声信号出力部１２から第１音声信号を出力し、その第１音声信号を音声信号切換部３０から音声出力部４０に出力する。そして、通信アダプタ２０の第２制御部２１によって通信部２３と第２音声信号出力部２２を制御して、電源が投入されて上記第１音声信号による音声を音声出力部４０から出力している間に、新たな音声データをダウンロードし、第１音声信号による音声の出力終了に続いて、通信アダプタ２０にダウンロードされた音声データを表す第２音声信号を第２音声信号出力部２２から出力する。このとき、洗濯機本体側の第１制御部１１によって音声信号切換部３０を制御して、上記第１音声信号による音声の出力終了後、第２音声信号出力部２２からの第２音声信号を、音声信号切換部３０から音声出力部４０に出力する。
【００７７】
これにより、洗濯機本体側の「あいさつ」や「前回の運転状況」などのメッセージを出力した後、そのまま続けて、ダウンロードが完了した天気情報(気温、湿度、花粉、ＰＭ2.5)などのタイムリーなメッセージを、違和感なくユーザーに聞いてもらうことができる
。
【符号の説明】
【００７８】
１…外箱
１ａ…開口部
２…水槽
３…扉
１０…制御装置
１１…第１制御部
１２…第１音声信号出力部
１３…メモリ
２０…通信アダプタ
２１…第２制御部
２２…第２音声信号出力部
２３…通信部
２４…メモリ
３０…音声信号切換部
４０…スピーカ(音声出力部)
５０…操作表示部(キー入力部)
６０…洗濯乾燥部
７０…電磁弁
９０…支持部材
１００…ドラム式洗濯乾燥機
１０１…上面パネル
１０３…前面パネル
１０４…後面パネル
１０５Ａ…右側面パネル
１０５Ｂ…左側面パネル
１０６…底台
１５０…洗濯剤ケース
２００…無線アクセスポイント
３００…管理サーバ
４００…スマートフォン
Ｎ…インターネット網
【図１】
2019115826.tif 000003
【図２】
2019115826.tif 000004
【図３】
2019115826.tif 000005
【図４】
2019115826.tif 000006